(57)【要約】【課題】  ワイパーの収納状態では、オペレータの視界にワイパーが入らないようにする。【解決手段】  コンバイン１０の操縦部２４の上方空間を覆うキャビン３２は、フロントガラス２５の上部に前照灯２７の投光部２９が形成されたカバー３０を有していて、ワイパー装置４２は、フロントガラス２５の外面を摺接するワイパー４８と該ワイパー４８を往復駆動するワイパーモータ４６とを備え、ワイパー４８は、カバー３０内に配置された軸４９を中心として回動自在に軸着されている。このワイパー４８は、カバー３０内に形成された収納空間５０に収納されていて、収納状態ではオペレータの視界に入らないようになっている。【選択図】      図３
2005053449.tif 000002
【特許請求の範囲】
【請求項１】
走行機体上に配置された操縦部の上方空間を覆い、前面にフロントガラスと、その上部に前照灯の投光部が形成されたカバーと、を有するキャビンを備えた移動農機において、
前記カバー内に配置された軸を中心として回動自在に軸着され、かつ前記フロントガラスの外面を摺接するワイパー部材と、
該ワイパー部材を往復駆動するワイパー駆動手段と、を備え、
前記ワイパー部材を、前記カバー内に形成された収納空間に収納した、
ことを特徴とするキャビン付き移動農機のワイパー装置。
【請求項２】
前記カバーの下部に、前記ワイパー部材が出没自在なように切欠部を形成すると共に、該ワイパー部材は前記収納空間内にその長手方向を略々水平位置に停止させて収納される、
ことを特徴とする請求項１記載のキャビン付き移動農機のワイパー装置。
【発明の詳細な説明】
【技術分野】
【０００１】
本発明は、キャビンを備えたコンバイン、トラクタ等のキャビン付き移動農機のワイパー装置に関する。
【背景技術】
【０００２】
コンバイン等の移動農機には、その走行機体上に操縦部の上方空間を覆うキャビンを備えた仕様のものがあり、このキャビンは外部と遮断して室内の気密を保ち、快適な環境を得るためにクーラーが装備され、暑さ知らずの快適な作業を可能としている。このようなキャビンには、雨天時にフロントガラス外面を拭って雨滴や埃、塵などを取り去って前方視界をクリーンにするワイパー装置が設けられている。
【０００３】
このようなワイパー装置として、従来、例えば、通常使用しない状態においては、フロントガラスの左側部に略々垂直状態に設け、ワイパーを駆動するワイパーモータもフロントガラスの左側部に設け、ワイパーモータを駆動すると、ワイパーは略々９０°の範囲を往復移動し、フロントガラスに付着している雨滴や塵埃等を除去するものが公知である（特許文献１参照）。
【０００４】
【特許文献１】特開２００２−１７１４１号公報
【発明の開示】
【発明が解決しようとする課題】
【０００５】
しかし、前述した従来技術によると、通常使用しない状態では、ワイパー装置をフロントガラスの左側部に略々垂直状態に停止収納していたので、このワイパー装置がオペレータの視界に残り、作業の際に目障りとなっていた。また、ワイパーブレードも直射日光や雨にさらされるため、材質が変化してワイパー装置の寿命も短いという課題があった。
【０００６】
本発明は、斯かる課題を解決するため、ワイパー部材の収納状態ではオペレータの視界にワイパー部材が入らないようにしたキャビン付き移動農機のワイパー装置を提供することを目的とする。
【課題を解決するための手段】
【０００７】
前記目的を達成するため、請求項１に係る発明は、走行機体（１３）上に配置された操縦部（２４）の上方空間を覆い、前面にフロントガラス（２５）と、その上部に前照灯（２７）の投光部（２９）が形成されたカバー（３０）と、を有するキャビン（３２）を備えた移動農機（１０）において、
前記カバー（３０）内に配置された軸（４９）を中心として回動自在に軸着され、かつ前記フロントガラス（２５）の外面を摺接するワイパー部材（４８）と、
該ワイパー部材（４８）を往復駆動するワイパー駆動手段（４６）と、を備え、
前記ワイパー部材（４８）を、前記カバー（３０）内に形成された収納空間（５０）に収納した、ことを特徴とする。
【０００８】
また、請求項２に係る発明は、請求項１記載のキャビン付き移動農機のワイパー装置において、前記カバー（３０）の下部に、前記ワイパー部材（４８）が出没自在なように切欠部（５１）を形成すると共に、該ワイパー部材（４８）は前記収納空間（５０）内にその長手方向を略々水平位置に停止させて収納される、ことを特徴とする。
【０００９】
なお、上述した括弧内の符号は図面を参照するために示すものであって、本発明を何ら限定するものではない。
【発明の効果】
【００１０】
請求項１に係る発明によれば、ワイパー部材の収納状態ではオペレータの視界にワイパー部材が入らないので、操縦性及び作業性の向上を図ることができる。また、ワイパー部材は、収納時に直射日光や雨にさらされることがなくなり、ワイパー部材の寿命を延ばすことができる。
【００１１】
請求項２に係る発明によれば、ワイパー部材を、収納空間内にその長手方向を略々水平位置に停止させて収納するようにしたので、カバーがフロントガラス面を覆う領域が少なくて済み、前方視界を広く確保することができる。
【発明を実施するための最良の形態】
【００１２】
以下、図面に基づき本発明の実施の形態を説明する。
【００１３】
図１及び図２は、本発明が適用されたキャビン付きコンバインの左右側面図であり、コンバイン１０は、左右一対のクローラ走行装置１２Ｌ，１２Ｒにて支持された走行機体１３と、該走行機体１３の前方に昇降自在に配置され、穀稈の刈取りを行う前処理部１４と、該前処理部１４の後方に位置し、走行機体１３の左側に配置されて、前処理部１４で刈取られた穀稈の脱穀を行う脱穀部１６と、走行機体１３の右側に配置されて、コンバイン１０の運転操作を行う操縦部２４とを備えている。また、この操縦部２４の上方空間を覆い、前面にフロントガラス２５と、その上部に前照灯２７の投光部２９が形成されたカバー３０とを有するキャビン３２を備えている。
【００１４】
脱穀部１６の一側方には、前処理部１４で刈取られた穀稈を該脱穀部１６に向けて搬送するフィードチェン１８が設けられ、該フィードチェン１８の後方には、脱穀後の排ワラを切断して排出する排ワラ装置２０が連設されている。また、脱穀部１６の他側方には、エンジン（図示せず）を収容するエンジンルーム２２が配設され、脱穀部１６の他側方でかつ操縦部２４の後方には、脱穀後の穀粒を一時的に貯留するグレンタンク２６と、該グレンタンク２６に貯留された穀粒を外部に搬出する排出オーガ２８が設けられている。
【００１５】
クローラ走行装置１２Ｌ，１２Ｒには、エンジンから左右のサイドクラッチ（図示せず）を内蔵したトランスミッション（図示せず）を介して駆動力が伝達されるようになっていて、レバー操作により旋回内側のサイドクラッチを切り作動することにより、走行機体１３の旋回操作を行うことができる。
【００１６】
前処理部１４は、隣接する条間で穀稈を分草するデバイダ３４及びナローガイド３５と、該デバイダ３４及びナローガイド３５によって分草された穀稈を引起しケース３６に沿って爪により引起す引起し装置３７と、刈取られた穀稈を掻込む掻込み装置（図示せず）と、該掻込まれた穀稈を搬送する扱深さ搬送装置３８とを備えている。この扱深さ搬送装置３８は、刈取られた穀稈をフィードチェン１８に向けて搬送する間に、穀稈の穂先位置を変更して扱深さを調整する役目をなしている。
【００１７】
図３〜図６は、キャビン３２の外観図であり、該キャビン３２は、走行機体１３上に配置された操縦部２４の上方空間を覆い、前面及び後面にフロントガラス２５とリアガラス４０、及び上部には前照灯２７の投光部２９が形成されたカバー３０と、右側面にサイドドア４１とを有している。キャビン３２の骨格となる枠フレーム３３はアルミ材等の軽金属材料が用いられ、カバー３０は合成樹脂にて構成されている。前記フロントガラス２５は、下部に対し上部が前方に突出するように傾斜していて、前方視界が良好で座ったままで運転操作ができ、長時間の連続作業でも疲れないように考慮されている。また、サイドドア４１の前方には、バックミラー４５が外側方に突設されている。更に、カバー３０の前面上部にはワイパー装置４２が設けられ、カバー３０の内側には、暑さ知らずの快適な作業ができるようにクーラー装置４４が装備されている。
【００１８】
ワイパー装置４２は、図７に示すように、ワイパーモータ（ワイパー駆動手段）４６とワイパー（ワイパー部材）４８とを有し、該ワイパー４８は、カバー３０内に配置された軸４９を中心として回動自在に軸着されている。なお、ワイパー装置４２は、例えば、ワイパーモータ４６が回り続けることにより、モータ軸に固定された図示しないウォームと、これに噛合う図示しないウォームホイールが回り、次いで該ウォームホイールの回動軸に連結された図示しないリンクが回動し、更に該リンクに連結されたワイパー４８が間欠的に往復駆動する、いわゆる周知の構成が採用されている。
【００１９】
そして、ワイパー４８は、その収納状態ではカバー３０内に形成された収納空間５０からはみ出さないように収納されている。このため、ワイパー４８の収納状態では、オペレータの視界にワイパー４８が入ることがないので、視界を妨げるものはなく、操縦性及び作業性の向上が図られる。また、ワイパー４８は、前述のように収納状態では前記収納空間５０に収納されているので、直射日光や雨にさらされることがなくなり、材質が変化することもなく、これによってワイパー４８の寿命がこれまで以上に延びることになる。
【００２０】
より具体的には、図６に示したように、前記カバー３０の下部には、ワイパー４８が出没自在なように切欠部５１が形成されていて、該ワイパー４８は、図３に示したように、収納時には収納空間５０内にその長手方向を略々水平位置に停止させて収納されている。このように、本実施形態によれば、カバー３０内にワイパー４８の回動支点としての軸４９を設け、該ワイパー４８が略々水平状態から作動したときに、カバー３０の下部からワイパー４８が出てくるように、カバー３０の下部に切欠部５１が形成されている。これにより、略々水平位置のワイパー４８を収納すれば足りることから、該ワイパー４８を覆うカバー３０に関しては、フロントガラス２５の前面を覆う領域が少なくて済み、よってオペレータにとって前方視界を広く確保することが可能となる。
【００２１】
一方、図８は、回動自在に軸着されたワイパー４８が往復駆動されて切欠部５１から出てきた状態を示す図である。ワイパー４８は、この往復駆動に伴いフロントガラス２５の外面を摺接して雨滴や塵、埃を除去する。こうして、フロントガラス２５の外面は、雨天時においても前方視界が良好に保たれるようにクリーンに保持される。
【図面の簡単な説明】
【００２２】
【図１】本発明が適用されたキャビン付きコンバインの左側面図である。
【図２】本発明が適用されたキャビン付きコンバインの右側面図である。
【図３】ワイパー収納状態のキャビンの部分断斜視図である。
【図４】ワイパー収納状態のキャビンの斜視図である。
【図５】ワイパー収納状態のキャビンの斜視図である。
【図６】キャビンの底面図である。
【図７】キャビン前部の断側面図である。
【図８】ワイパー使用状態のキャビンの斜視図である。
【符号の説明】
【００２３】
１０      コンバイン
１３      走行機体
２４      操縦部
２５      フロントガラス
２７      前照灯
２９      投光部
３０      カバー
３２      キャビン
４２      ワイパー装置
４６      ワイパーモータ（ワイパー駆動手段）
４８      ワイパー（ワイパー部材）
４９      軸
５０      収納空間
５１      切欠部
【図１】
2005053449.tif 000003
【図２】
2005053449.tif 000004
【図３】
2005053449.tif 000005
【図４】
2005053449.tif 000006
【図５】
2005053449.tif 000007
【図６】
2005053449.tif 000008
【図７】
2005053449.tif 000009
【図８】
2005053449.tif 000010